(57)【特許請求の範囲】
【請求項１】
ａ．中間部で接合された２ヶのスリーブ要素１１ａと１１ｂをスライドさせることにより長さ調節自在に形成されたスリーブ筒１１の後端にフランジ状に形成された固定プレート１５を備えたスリーブ本体１０と、
ｂ．中間部で接合された２ヶの給気筒要素２１ａと２１ｂをスライドさせることにより長さ調節自在に形成された前記スリーブ筒１１より小径の給気筒２１の後端において、フランジ状に形成され、かつ前記固定プレート１５に対して固定自在に形成されたトップ固定プレート３５を備えて成るトップ本体２０と、
ｃ．中間部で接合された２ヶの排気筒要素３０ａと３０ｂをスライドさせることにより長さ調節自在に形成され、かつ前記トップ本体２０内にトップ固定プレート３５側から挿入して先端の排気口３１を給気筒２１の先端に形成した給気口２５から前方に突出させることができると共に給気筒２１よりも小径に形成された排気筒３０と、から成る給排気トップにおいて、
ｄ．前記スリーブ本体１０のスリーブ筒１１において、このスリーブ筒１１の先端側に位置するスリーブ要素１１ａの外周面であって、その長手方向に一定の間隔で複数のビス孔１２ａを設けると共に前記スリーブ要素１１ｂ側には前記ビス孔１２ａにねじ込んでスリーブ要素１１ａと１１ｂを固定するためのビス１２を取り付け、更に、前記ビス孔１２ａには取付対象となる外壁Ａに設けたトップ取付孔Ｂの長さに対応する数字１２ｂが先端側から後方に向けて順番に小さくなるように記されていること、
ｅ．前記トップ本体２０の給気筒２１において、この給気筒２１の先端側に位置する給気筒要素２１ａの外周面であって、その長手方向には、前記スリーブ要素１１ａに設けたビス数１２ａと同一の間隔で同じ数のビス孔２４を設けると共に前記給気筒要素２１ｂ側には前記ビス孔２４にねじ込んで給気筒要素２１ａと２１ｂを固定するためのビス２３を取り付け、更に前記ビス孔２４には、前記スリーブ要素１１ａ側のビス孔１２ａに記した数字１２ｂと同一の数字を給気筒要素２１の先端側から同じ順番で記すことにより、前記スリーブ要素１１側の数字１２ｂを読み取って設定する給気筒２１の長さを決定し、この読み取った数字と同一の数字２４ａのところのビス孔２４にビス２３をねじ込んで給気筒要素２１ａと２１ｂの長さを決定し、かつ固定することができるように構成されていること、
ｆ．を特徴とする給排気トップ。
【発明の詳細な説明】
【０００１】
【発明の属する技術分野】
本発明は、ガスストーブ、給湯器等の強制給排気式燃焼器具に用いられる二重管式の給排気トップに関するものである。
【０００２】
【従来の技術】
従来の二重管式を含む給排気トップの場合、構造的に給排気トップの先端側は建物の外から取り付け工事を行う必要があった。このため、高い建物の場合には足場を組んだりすることが必要なため、工事に経費がかかる。そこで、この足場を組む必要がないように、屋上や階上から給排気トップの先端側をワイヤー等で吊り下げてトップ取付穴内のところまで誘導し、先端側にあらかじめ取り付けておいた固定紐やバンド等を室内側からつかみ、この固定紐やバンドを引いて先端側をスリーブ内に引き込んで取り付けると云った方法もとられている。
【０００３】
しかし、この方法は、取り付け時に２人以上の作業員が必要であり、更に手間がかかる。
このようなことから、最近、室内側からすべての取付と雨仕舞等の作業を行うことができる給排気トップの提案がある。
【０００４】
【発明が解決しようとする課題】
しかし、この給排気トップの場合、雨仕舞については、どうしても完全に行うことができず、あとで雨水が侵入するようになったりする。又、室内側からすべての取り付けを行う場合、トップの先端側と室内側との接続に手間がかかると云う欠点がある。
【０００５】
本発明は斯る点に鑑みて提供されるものであって、その目的は、すべての施工を室内側から簡単に行うことができるばかりでなく、雨仕舞を完全に行うことができる二重管式の給排気トップを提供することである。
【０００６】
【課題を解決するための手段】
上記目的を達成するため、請求項１に記載の発明においては、
ａ．中間部で接合された２ヶのスリーブ要素１１ａと１１ｂをスライドさせることにより長さ調節自在に形成されたスリーブ筒１１の後端にフランジ状に形成された固定プレート１５を備えたスリーブ本体１０と、
ｂ．中間部で接合された２ヶの給気筒要素２１ａと２１ｂをスライドさせることにより長さ調節自在に形成された前記スリーブ筒１１より小径の給気筒２１の後端において、フランジ状に形成され、かつ前記固定プレート１５に対して固定自在に形成されたトップ固定プレート３５を備えて成るトップ本体２０と、
ｃ．中間部で接合された２ヶの排気筒要素３０ａと３０ｂをスライドさせることにより長さ調節自在に形成され、かつ前記トップ本体２０内にトップ固定プレート３５側から挿入して先端の排気口３１を給気筒２１の先端に形成した給気口２５から前方に突出させることができると共に給気筒２１よりも小径に形成された排気筒３０と、から成る給排気トップにおいて、
ｄ．前記スリーブ本体１０のスリーブ筒１１において、このスリーブ筒１１の先端側に位置するスリーブ要素１１ａの外周面であって、その長手方向に一定の間隔で複数のビス孔１２ａを設けると共に前記スリーブ要素１１ｂ側には前記ビス孔１２ａにねじ込んでスリーブ要素１１ａと１１ｂを固定するためのビス１２を取り付け、更に、前記ビス孔１２ａにはそれぞれの孔ごとに取付対象となる外壁Ａに設けたトップ取付孔Ｂの長さに対応する数字１２ｂが先端側から後方に向けて順番に小さくなるように記されていること、
ｅ．前記トップ本体２０の給気筒２１において、この給気筒２１の先端側に位置する給気筒要素２１ａの外周面であって、その長手方向には、前記スリーブ要素１１ａに設けたビス数１２ａと同一の間隔で同じ数のビス孔２４を設けると共に前記給気筒要素２１ｂ側には前記ビス孔２４にねじ込んで給気筒要素２１ａと２１ｂを固定するためのビス２３を取り付け、更に前記ビス孔２４には、前記スリーブ要素１１ａ側のビス孔１２ａに記した数字１２ｂと同一の数字を給気筒要素２１の先端側から同じ順番で記すことにより、前記スリーブ要素１１側の数字１２ｂを読み取って設定する給気筒２１の長さを決定し、この読み取った数字と同一の数字２４ａのところのビス孔２４にビス２３をねじ込んで給気筒要素２１ａと２１ｂの長さを決定し、かつ固定することができるように構成されていること、を特徴とするものである。
【０００７】
【作用】
本発明に係る給排気トップは、先ずスリーブ本体におけるスリーブ筒の長さを外壁の厚さ（トップ取付孔の長さ）に合わせたのち、スリーブ本体を室内側からトップ取付穴内に挿入し、固定プレートの四隅に設けたビス穴からビスを挿入し、固定プレートを室内側から内壁面に固定してスリーブ本体の取り付けを終る。
【０００８】
次に、トップ本体内にトップ固定プレート側から排気筒を挿入してあらかじめ一体化したのち、トップ本体の給気筒の長さを前記スリーブ筒の数字に合わせて調節し、これを室内側から前記スリーブ本体内に挿入し、トップ固定プレートをスリーブ本体側の固定プレートの正面であって、傾斜面に蝶ナットで固定する。このトップ本体と排気筒の組み立てに際し、必要な場合には、トップ本体の給気筒に伸縮性スポンジテープを圧縮した状態で捲きつけておき、時間差で伸長（膨張）したときにスリーブ筒の外側とトップ取付穴の内側との間の隙間を埋めて雨仕舞を行う。なお、トップ本体と排気筒との一体化は、あらかじめ工場で行っておいても良いし、現場で行うようにしてもよい。
【０００９】
【発明の実施の形態】
図１〜図３に基づいて本発明に係る給排気トップの実施例を詳述する。図１（Ａ）（Ｂ）（Ｃ）は給排気トップを構成する主要３点部品の説明図であって、（Ａ）はスリーブ本体を示し、（Ｂ）はトップ本体を示し、（Ｃ）は排気筒を示すものである。
【００１０】
先ず、図１（Ａ）に示すスリーブ本体１０は、この（Ａ）と図２（Ａ）（Ｂ）（Ｃ）に示すように、中間部においてスリーブ筒１１はその長さを調整できるように、スリーブ要素１１ａと１１ｂに分けてあり、スリーブ要素１１ｂ内にスリーブ要素１１ａの後端側をスライド自在に挿入することができる。１２はこのスリーブ要素１１ｂに１１ａを挿入して長さを決めたときに、ビス孔１２ａに挿入してスリーブ筒１１の長さを固定するためのビス、１２ｂはビス孔１２ａごとにスリーブ要素１１ａの先端側から後方に向けて順番に小さくなるに記された長さの目印となる数字である。
【００１１】
１３はスリーブ要素１１ａの先端側において円周面に形成した凹リング溝１４内に組み込まれたシールリング（Ｏリング）、１５はスリーブ要素１１ｂの後端に取り付けられた四角形の固定プレートであって、この固定プレート１５の正面には傾斜面１６が形成されていると共に内側にはスポンジパッキン１７が装着されている。固定プレート１５の四隅にはビス孔１８が形成され、更にこの内側の傾斜面１６の四隅には、正面側に向けてねじ軸１９が突設されている。４０は固定プレート１５を内壁面に固定するための固定ねじである。
【００１２】
図１（Ｂ）に示すトップ本体２０の給気筒２１は、中間部において給気筒要素２１ａと２１ｂに分けてあり、給気筒要素２１ａ内に給気筒要素２１ｂの先端側をスライド自在に挿入して長さ調整を行い、ビス２３を給気筒要素２１ａに一列にかつ前記ビス孔１２ａと同一間隔で設けられたビス孔２４に挿入して固定することができる。また、このビス孔２４のところには、前記スリーブ本体１０側のビス孔１２ａに記した数字１２ｂと同一の数字２４ａが給気筒要素２１ａの先端側から順番にそれぞれのビス孔２４ごとに記してあり、この数字２４ａの中から前記ビス止めしたビス孔１２ａのところに記された数字と同一の数字のところのビス孔２４を選んでビス２３をねじ込んで給気筒要素２１ａと２１ｂを固定することにより、スリーブ本体１０に対するトップ本体２０の給気筒２１の長さが決定される。３５はトップ本体２０の給気筒要素２１ｂ側に取り付けられたトップ固定プレートであって、このプレート３５の四隅には孔３６が形成してあり、この孔３６に上記したねじ軸１９が通され、蝶ナット４１で固定される。
【００１３】
２２は給気筒要素２１ａと２１ｂに夫々形成されたビード、２１ａ´、２１ｂ´は給気筒要素２１ａ、２１ｂ内に形成した排気筒支持金具である。
図１（Ｃ）に示す排気筒３０は、中間部において排気筒要素３０ａと３０ｂに分けてあり、排気筒要素３０ａに排気筒要素３０ｂの先端側を挿入することにより長さ調整を行うことができると共に、この排気筒要素３０ａと３０ｂは排気筒要素３０ａ側に形成した凹リング溝３０ｃ内に収めたＯリング３０ｄによりシールされる。
【００１４】
３１は排気筒要素３０ａの先端側に形成された排気口であって、この排気口３１には防虫リング３２が取り付けてあると共にカバー３１ａ及び円環３３が取り付けられている。
３４は前記円環３３の位置よりもやや後退した位置に形成されたリング状の膨大部であって、この膨大部３４により、トップ本体２０の先端の給気口２５との間を直径１８ｍｍの鋼球が入らない間隔に調整して、防虫機能としている。
【００１５】
次に、図３（Ａ）（Ｂ）及び図４を参照しつつ図１、図２に示した給排気トップ１の取り付け例を説明する。図３の（Ａ）は給排気トップ１を外壁Ａのトップ取付穴Ｂ内に取り付けを完了した状態、（Ｂ）は取り付け完了状態を室内側から見た状態の説明図、図４は給湯器Ｇの給排気管Ｈを給排気トップ１に接続した状態の説明図である。
【００１６】
先ず、本発明に係る給排気トップ１は、スリーブ本体１０のスリーブ筒１１ａ、１１ｂの長さを壁厚Ｗに合わせて調整したのち、ビス１２で固定し、スリーブ本体１０を室内Ｃ側から外壁Ａに設けたトップ取付穴Ｂ内に挿入し、固定プレート１５の四隅に設けたビス孔１８を利用して固定プレート１５を固定ねじ４０により内壁面Ａ´に固定する。この時、固定プレート１５の傾斜面１６により、スリーブ筒１１は先端側に向けて下り勾配がつく。なお、雨仕舞が必要な場合には、スリーブ本体１０をトップ取付穴Ｂ内に挿入する前にスリーブ筒１１の要素１１ａ側の外周に伸縮性スポンジテープ４２を捲きつけて収縮させ、時間差で膨張させてトップ取付穴Ｂとスリーブ筒１１間の隙間を密閉する。
【００１７】
次に、トップ本体２０内に排気筒３０をトップ固定プレート３５側から挿入して支持金具２１ａ、２１ｂに嵌合させて一体化したのち給気筒２１の長さをビス孔２４に記された数字２４ａをスリーブ本体１０側のビス孔１２ａに記された数字１２ｂと同一の数字に合わせてビス２３で給気筒要素２１ａと２１ｂを固定し、これを室内Ｃ側から前記スリーブ本体１０内に挿入し、排気口３１の部分をトップ本体２０の給気口２５より前方の室外Ｄに突出（露出）させ、トップ固定プレート３５を蝶ナット４１により傾斜面１６のねじ軸１９に固定して給排気トップ２０の取り付けを終了し、次に、図４に示すように、室内Ｃ側において燃焼器具Ｇ側から延長された給排気管Ｈを給排気トップ１に接続する。
【００１８】
【発明の効果】
本発明は以上の如き構成から成ることにより、次の効果を奏する。
１．給排気トップの取り付けをすべて室内側から簡単に行うことができる。この結果、従来のように高い階の場合、足場を組んだり、２人以上の作業員で作業を行う必要がない。
２．スリーブ本体のスリーブ筒とトップ本体の給気筒間にシールリングを挿入したことにより、スリーブ本体内にトップ本体を挿入するだけで雨仕舞が完全に行われる。
３．排気筒側に膨大部を形成して給気口の防虫構造としたことにより、給気口の面積を大きくとることができる。
４．スリーブ本体の固定プレートは内壁面に全面が圧接するため、固定されたときに安定する。
５．スリーブ本体とトップ取付穴は伸縮性スポンジテープで雨仕舞を行うことにより、雨仕舞に手間がかからない。
６．スリーブ本体とトップ本体の筒体の長さ調整をビス孔に記した数字を合わせるだけで規定通りの長さに設定できるため便利である。
【図面の簡単な説明】
【図１】  （Ａ）はスリーブ本体、（Ｂ）は給気外筒、（Ｃ）は排気内筒の説明図
【図２】  （Ａ）はスリーブ本体の断面図、（Ｂ）はスリーブ筒の正面図、（Ｃ）は取付プレート側から見たスリーブ本体の正面図
【図３】  （Ａ）は貫通取付穴に給排気トップを取り付けた状態の断面図、（Ｂ）は室内側から給排気トップを見た正面図
【図４】  燃焼器具と給排気トップの施工例の説明図。
【符号の説明】
１  給排気トップ
１０  スリーブ本体
１１  スリーブ筒
１３  シールリング
１５  固定プレート
２０  トップ本体
３０  排気筒
３１  排気口
３５  トップ固定プレート
【図１】
0004298185.tif 000002
【図２】
0004298185.tif 000003
【図３】
0004298185.tif 000004
【図４】
0004298185.tif 000005